(57)【要約】      （修正有）【課題】業務情報管理のためのコンピュータ等に関するものであり、特に業務情報を管理するグループウェアにおいて情報の表示内容を適切にする。【解決手段】複数の業務情報を含む業務情報ファイルと前記業務情報ファイルに含まれる所定の業務情報を指定する第１指定情報とその第１指定情報を更新する権限を有する第１権限者とを関連づけた第１権限情報を記憶する。前記第１指定情報の指定内容を変更する第１変更情報の入力を受け付け、前記第１指定情報の指定内容を変更する第１変更者を特定する。前記第１権限者に基づいて前記第１変更者が前記第１指定情報を更新する権限がある者であるか否かを確認し、前記第１確認手段により前記第１変更者が前記第１指定情報を変更する権限があると判断された場合は前記第１指定情報を前記第１変更情報に基づいて更新し、前記第１指定情報に基づいて構成員の第１個人用ページを作成しその第１個人用ページを表示する。【選択図】図４
2008234108.tif 000002
【特許請求の範囲】
【請求項１】
所定のグループに属する複数の構成員が協力して業務を遂行する際に利用される業務情報に関する処理を行うコンピュータであり、
複数の業務情報を含む業務情報ファイルを記憶する業務情報ファイル記憶手段、前記業務情報ファイルに含まれる所定の業務情報を指定する第１指定情報とその第１指定情報を更新する権限を有する第１権限者とを記憶する第１権限情報記憶手段、前記第１指定情報の指定内容を変更する第１変更情報の入力を受け付ける第１変更情報受付手段、前記第１指定情報の指定内容を変更する第１変更者を特定する第１変更者特定手段、前記第１権限者に基づいて前記第１変更者が前記第１指定情報を変更する権限がある者であるか否かを確認する第１確認手段、前記第１確認手段により前記第１変更者が前記第１指定情報を変更する権限があると判断された場合は前記第１指定情報を前記第１変更情報に基づいて更新する第１更新手段、前記第１指定情報に基づいて構成員の第１個人用ページを作成しその第１個人用ページを表示する第１個人用ページ表示手段を備えることを特徴とする業務情報を表示するためのコンピュータ。
【請求項２】
所定のグループに属する複数の構成員が協力して業務を遂行する際に利用される業務情報に関する処理を行うコンピュータであり、
複数の業務情報を含む業務情報ファイルを記憶する業務情報ファイル記憶手段、前記業務情報ファイルに含まれる所定の業務情報を指定する第２指定情報とその第２指定情報を更新する権限を有する第２権限者とを記憶する第２権限情報記憶手段、前記業務情報ファイルに含まれる所定の業務情報を指定する第３指定情報とその第３指定情報を更新する権限を有する第３権限者とを記憶する第３権限情報記憶手段、前記第２指定情報の指定内容を変更する第２変更情報の入力を受け付ける第２変更情報受付手段、前記第２指定情報の指定内容を変更する第２変更者を特定する第２変更者特定手段、前記第２権限者に基づいて前記第２変更者が前記第２指定情報を変更する権限がある者であるか否かを確認する第２確認手段、前記第２確認手段により前記第２変更者が前記第２指定情報を変更する権限があると判断された場合は前記第２指定情報を前記第２変更情報に基づいて更新する第２更新手段、前記第３指定情報の指定内容を変更する第３変更情報の入力を受け付ける第３変更情報受付手段、前記第３指定情報の指定内容を変更する第３変更者を特定する第３変更者特定手段、前記第３権限者に基づいて前記第３変更者が前記第３指定情報を変更する権限がある者であるか否かを確認する第３確認手段、前記第３確認手段により前記第３変更者が前記第３指定情報を変更する権限があると判断された場合は前記第３指定情報を前記第３変更情報に基づいて更新する第３更新手段、前記第２指定情報と前記第３指定情報とに基づいて前記第２権限者の第２個人用ページを作成しその第２個人用ページを表示する第２個人用ページ表示手段を備えることを特徴とする業務情報を表示するためのコンピュータ。
【請求項３】
前記第２権限者とは前記グループの構成員であり、前記第３権限者とは前記構成員が属するグループのリーダーであることを特徴とする請求項２記載の業務情報を表示するためのコンピュータ。
【請求項４】
前記第２権限者と前記第３権限者との間で意思統一を図るための意思統一情報を記憶する意思統一情報記憶手段、前記第２更新情報又は前記第３更新情報と前記意思統一情報とに基づいて変更内容に意志統一があるか否かを判断処理する意志統一判断手段、前記意思統一判断手段において意思統一がないと判断された場合は意思統一がない旨を表示して警告する警告手段を備えることを特徴とする請求項２乃至３記載の業務情報を表示するためのコンピュータ。
【請求項５】
前記意思統一情報とは前記第２個人用ページに必ず表示すべき必須業務情報を含み、前記判断処理とは前記第２更新情報又は前記第３更新情報が前記必須業務情報の一部又は全部を削除するものである場合は意思統一がないと判断する処理であることを特徴とする請求項４記載の業務情報を表示するためのコンピュータ。
【請求項６】
前記第２個人用ページは複数のページからなり、前記第２個人用ページ表示手段とは前記第３指定情報により指定された業務情報を最初のページに表示する手段であることを特徴とする請求項２乃至５記載の業務情報を表示するためのコンピュータ。
【請求項７】
前記第２個人用ページは複数の画面に分割されて表示されるものであり、前記第２個人用ページ表示手段とは前記第３指定情報により指定された業務情報を最初の画面に表示する手段であることを特徴とする請求項２乃至５記載の業務情報を表示するためのコンピュータ。
【請求項８】
所定のグループに属する複数の構成員が協力して業務を遂行する際に利用される業務情報に関する処理を行うコンピュータを、複数の業務情報を含む業務情報ファイルを記憶する業務情報ファイル記憶手段、前記業務情報ファイルに含まれる所定の業務情報を指定する第１指定情報とその第１指定情報を更新する権限を有する第１権限者とを記憶する第１権限情報記憶手段、前記第１指定情報の指定内容を変更する第１変更情報の入力を受け付ける第１変更情報受付手段、前記第１指定情報の指定内容を変更する第１変更者を特定する第１変更者特定手段、前記第１権限者に基づいて前記第１変更者が前記第１指定情報を変更する権限がある者であるか否かを確認する第１確認手段、前記第１確認手段により前記第１変更者が前記第１指定情報を変更する権限があると判断された場合は前記第１指定情報を前記第１変更情報に基づいて更新する第１更新手段、前記第１指定情報に基づいて構成員の第１個人用ページを作成しその第１個人用ページを表示する第１個人用ページ表示手段として機能させることを特徴とする業務情報を表示するためのコンピュータプログラム。
【請求項９】
所定のグループに属する複数の構成員が協力して業務を遂行する際に利用される業務情報に関する処理を行うコンピュータを、複数の業務情報を含む業務情報ファイルを記憶する業務情報ファイル記憶手段、前記業務情報ファイルに含まれる所定の業務情報を指定する第２指定情報とその第２指定情報を更新する権限を有する第２権限者とを記憶する第２権限情報記憶手段、前記業務情報ファイルに含まれる所定の業務情報を指定する第３指定情報とその第３指定情報を更新する権限を有する第３権限者とを記憶する第３権限情報記憶手段、前記第２指定情報の指定内容を変更する第２変更情報の入力を受け付ける第２変更情報受付手段、前記第２指定情報の指定内容を変更する第２変更者を特定する第２変更者特定手段、前記第２権限者に基づいて前記第２変更者が前記第２指定情報を変更する権限がある者であるか否かを確認する第２確認手段、前記第２確認手段により前記第２変更者が前記第２指定情報を変更する権限があると判断された場合は前記第２指定情報を前記第２変更情報に基づいて更新する第２更新手段、前記第３指定情報の指定内容を変更する第３変更情報の入力を受け付ける第３変更情報受付手段、前記第３指定情報の指定内容を変更する第３変更者を特定する第３変更者特定手段、前記第３権限者に基づいて前記第３変更者が前記第３指定情報を変更する権限がある者であるか否かを確認する第３確認手段、前記第３確認手段により前記第３変更者が前記第３指定情報を変更する権限があると判断された場合は前記第３指定情報を前記第３変更情報に基づいて更新する第３更新手段、前記第２指定情報と前記第３指定情報とに基づいて前記第２権限者の第２個人用ページを作成しその第２個人用ページを表示する第２個人用ページ表示手段として機能させることを特徴とする業務情報を表示するためのコンピュータプログラム。
【請求項１０】
前記第２権限者とは前記グループの構成員であり、前記第３権限者とは前記構成員が属するグループのリーダーであることを特徴とする請求項９記載の業務情報を表示するためのコンピュータプログラム。
【請求項１１】
前記コンピュータを、前記第２権限者と前記第３権限者との間で意思統一を図るための意思統一情報を記憶する意思統一情報記憶手段、前記第２更新情報又は前記第３更新情報と前記意思統一情報とに基づいて変更内容に意志統一があるか否かを判断処理する意志統一判断手段、前記意思統一判断手段において意思統一がないと判断された場合は意思統一がない旨を表示して警告する警告手段として機能させることを特徴とする請求項９乃至１０記載の業務情報を表示するためのコンピュータプログラム。
【請求項１２】
前記意思統一情報とは前記第２個人用ページに必ず表示すべき必須業務情報を含み、前記判断処理とは前記第２更新情報又は前記第３更新情報が前記必須業務情報の一部又は全部を削除するものである場合は意思統一がないと判断する処理であることを特徴とする請求項１１記載の業務情報を表示するためのコンピュータプログラム。
【請求項１３】
前記第２個人用ページは複数のページからなり、前記第２個人用ページ表示手段とは前記第３指定情報により指定された業務情報を最初のページに表示する手段であることを特徴とする請求項９乃至１２記載の業務情報を表示するためのコンピュータプログラム。
【請求項１４】
前記第２個人用ページは複数の画面に分割されて表示されるものであり、前記第２個人用ページ表示手段とは前記第３指定情報により指定された業務情報を最初の画面に表示する手段であることを特徴とする請求項９乃至１２記載の業務情報を表示するためのコンピュータプログラム。
【請求項１５】
所定のグループに属する複数の構成員が協力して業務を遂行する際に利用される業務情報に関する処理を行うコンピュータが、複数の業務情報を含む業務情報ファイルを記憶する業務情報ファイル記憶ステップ、前記業務情報ファイルに含まれる所定の業務情報を指定する第１指定情報とその第１指定情報を更新する権限を有する第１権限者とを記憶する第１権限情報記憶ステップ、前記第１指定情報の指定内容を変更する第１変更情報の入力を受け付ける第１変更情報受付ステップ、前記第１指定情報の指定内容を変更する第１変更者を特定する第１変更者特定ステップ、前記第１権限者に基づいて前記第１変更者が前記第１指定情報を変更する権限がある者であるか否かを確認する第１確認ステップ、前記第１確認ステップにより前記第１変更者が前記第１指定情報を変更する権限があると判断された場合は前記第１指定情報を前記第１変更情報に基づいて更新する第１更新ステップ、前記第１指定情報に基づいて構成員の第１個人用ページを作成しその第１個人用ページを表示する第１個人用ページ表示ステップを行うことを特徴とする業務情報表示方法。
【請求項１６】
所定のグループに属する複数の構成員が協力して業務を遂行する際に利用される業務情報に関する処理を行うコンピュータが、複数の業務情報を含む業務情報ファイルを記憶する業務情報ファイル記憶ステップ、前記業務情報ファイルに含まれる所定の業務情報を指定する第２指定情報とその第２指定情報を更新する権限を有する第２権限者とを記憶する第２権限情報記憶ステップ、前記業務情報ファイルに含まれる所定の業務情報を指定する第３指定情報とその第３指定情報を更新する権限を有する第３権限者とを記憶する第３権限情報記憶ステップ、前記第２指定情報の指定内容を変更する第２変更情報の入力を受け付ける第２変更情報受付ステップ、前記第２指定情報の指定内容を変更する第２変更者を特定する第２変更者特定ステップ、前記第２権限者に基づいて前記第２変更者が前記第２指定情報を変更する権限がある者であるか否かを確認する第２確認ステップ、前記第２確認ステップにより前記第２変更者が前記第２指定情報を変更する権限があると判断された場合は前記第２指定情報を前記第２変更情報に基づいて更新する第２更新ステップ、前記第３指定情報の指定内容を変更する第３変更情報の入力を受け付ける第３変更情報受付ステップ、前記第３指定情報の指定内容を変更する第３変更者を特定する第３変更者特定ステップ、前記第３権限者に基づいて前記第３変更者が前記第３指定情報を変更する権限がある者であるか否かを確認する第３確認ステップ、前記第３確認ステップにより前記第３変更者が前記第３指定情報を変更する権限があると判断された場合は前記第３指定情報を前記第３変更情報に基づいて更新する第３更新ステップ、前記第２指定情報と前記第３指定情報とに基づいて前記第２権限者の第２個人用ページを作成しその第２個人用ページを表示する第２個人用ページ表示ステップを行うことを特徴とする業務情報表示方法。
【請求項１７】
前記第２権限者とは前記グループの構成員であり、前記第３権限者とは前記構成員が属するグループのリーダーであることを特徴とする請求項１６記載の業務情報表示方法。
【請求項１８】
前記コンピュータが、前記第２権限者と前記第３権限者との間で意思統一を図るための意思統一情報を記憶する意思統一情報記憶ステップ、前記第２更新情報又は前記第３更新情報と前記意思統一情報とに基づいて変更内容に意志統一があるか否かを判断処理する意志統一判断ステップ、前記意思統一判断ステップにおいて意思統一がないと判断された場合は意思統一がない旨を表示して警告する警告ステップを行うことを特徴とする請求項１６乃至１７記載の業務情報表示方法。
【請求項１９】
前記意思統一情報とは前記第２個人用ページに必ず表示すべき必須業務情報を含み、前記判断処理とは前記第２更新情報又は前記第３更新情報が前記必須業務情報の一部又は全部を削除するものである場合は意思統一がないと判断する処理であることを特徴とする請求項１８記載の業務情報表示方法。
【請求項２０】
前記第２個人用ページは複数のページからなり、前記第２個人用ページ表示ステップとは前記第３指定情報により指定された業務情報を最初のページに表示するステップであることを特徴とする請求項１６乃至１９記載の業務情報表示方法。
【請求項２１】
前記第２個人用ページは複数の画面に分割されて表示されるものであり、前記第２個人用ページ表示ステップとは前記第３指定情報により指定された業務情報を最初の画面に表示するステップであることを特徴とする請求項１６乃至１９記載の業務情報表示方法。
【発明の詳細な説明】
【技術分野】
【０００１】
本発明は、業務情報管理のためのコンピュータ等に関するものであり、特に業務情報を管理するグループウェアにおいて情報の表示内容を適切にするためのものである。
【背景技術】
【０００２】
現在、グループウェアと呼ばれる業務情報管理のためのコンピュータプログラム（ソフトウェア）が様々な企業で使用されている。これは企業に所属する社員間でスケジュール情報や情報ファイルを共有したり、様々な情報交換することにより円滑に業務を遂行するものである。このグループウェアには前述のスケジュールや情報ファイルの共有機能のほかＴＯＤＯリスト、掲示板、ワークフローなど様々な情報を共有することができのである。
【０００３】
なお、本発明に関しては先行技術文献を示すより先行製品を示した方が適切であると考えられるので、ここで先行製品を開示する。本発明に関する先行技術（先行製品）としてサイボウズ株式会社が販売している「サイボウズｏｆｆｉｃｅ」というグループウェアがある。このグループウェアでは様々な業務情報を社員間で共有することができる。
【発明の開示】
【発明が解決しようとする課題】
【０００４】
このようにグループウェアを利用すれば業務を円滑に遂行できるため、多くの企業でこれが利用されている。
しかし、従来のグループウェアでは、どのような情報をどのように表示するかは予め決められている場合が多く、所望の情報を所望の位置に表示することはできなかった。即ち、従来のグループウェアにおいては情報の表示方法や表示位置を自由に設定すること（カスタマイズすること）ができないという問題があった。これにより業務を遂行する上で非常に重要な情報が表示画面上の片隅に表示されてしまったり、或いは表示画面に全く表示されないという事態が生じ、本来であれば一番最初に確認すべき重要な情報を確実に確認できないという問題が生じているのである。
本発明は、このような問題に鑑みなされたものである。即ち、本発明は業務情報管理のためのコンピュータ等に関するものであり、特に業務情報を管理するグループウェアにおいて情報の表示内容を適切にするためのものである。
【課題を解決するための手段】
【０００５】
本発明は、例えば、次のような手段を備えるコンピュータシステム、コンピュータが次のような処理（ステップ）を行う方法、コンピュータを次のように機能させるコンピュータプログラムである。
（１）  所定のグループに属する複数の構成員が協力して業務を遂行する際に利用される業務情報に関する処理を行うコンピュータであり、
複数の業務情報を含む業務情報ファイルを記憶する業務情報ファイル記憶手段、前記業務情報ファイルに含まれる所定の業務情報を指定する第１指定情報とその第１指定情報を更新する権限を有する第１権限者とを記憶する第１権限情報記憶手段、前記第１指定情報の指定内容を変更する第１変更情報の入力を受け付ける第１変更情報受付手段、前記第１指定情報の指定内容を変更する第１変更者を特定する第１変更者特定手段、前記第１権限者に基づいて前記第１変更者が前記第１指定情報を変更する権限がある者であるか否かを確認する第１確認手段、前記第１確認手段により前記第１変更者が前記第１指定情報を変更する権限があると判断された場合は前記第１指定情報を前記第１変更情報に基づいて更新する第１更新手段、前記第１指定情報に基づいて構成員の第１個人用ページを作成しその第１個人用ページを表示する第１個人用ページ表示手段を備える。
（２）  所定のグループに属する複数の構成員が協力して業務を遂行する際に利用される業務情報に関する処理を行うコンピュータであり、
複数の業務情報を含む業務情報ファイルを記憶する業務情報ファイル記憶手段、前記業務情報ファイルに含まれる所定の業務情報を指定する第２指定情報とその第２指定情報を更新する権限を有する第２権限者とを記憶する第２権限情報記憶手段、前記業務情報ファイルに含まれる所定の業務情報を指定する第３指定情報とその第３指定情報を更新する権限を有する第３権限者とを記憶する第３権限情報記憶手段、前記第２指定情報の指定内容を変更する第２変更情報の入力を受け付ける第２変更情報受付手段、前記第２指定情報の指定内容を変更する第２変更者を特定する第２変更者特定手段、前記第２権限者に基づいて前記第２変更者が前記第２指定情報を変更する権限がある者であるか否かを確認する第２確認手段、前記第２確認手段により前記第２変更者が前記第２指定情報を変更する権限があると判断された場合は前記第２指定情報を前記第２変更情報に基づいて更新する第２更新手段、前記第３指定情報の指定内容を変更する第３変更情報の入力を受け付ける第３変更情報受付手段、前記第３指定情報の指定内容を変更する第３変更者を特定する第３変更者特定手段、前記第３権限者に基づいて前記第３変更者が前記第３指定情報を変更する権限がある者であるか否かを確認する第３確認手段、前記第３確認手段により前記第３変更者が前記第３指定情報を変更する権限があると判断された場合は前記第３指定情報を前記第３変更情報に基づいて更新する第３更新手段、前記第２指定情報と前記第３指定情報とに基づいて前記第２権限者の第２個人用ページを作成しその第２個人用ページを表示する第２個人用ページ表示手段を備える。
（３）  前記第２権限者とは前記グループの構成員であり、前記第３権限者とは前記構成員が属するグループのリーダーである。
（４）  前記第２権限者と前記第３権限者との間で意思統一を図るための意思統一情報を記憶する意思統一情報記憶手段、前記第２更新情報又は前記第３更新情報と前記意思統一情報とに基づいて変更内容に意志統一があるか否かを判断処理する意志統一判断手段、前記意思統一判断手段において意思統一がないと判断された場合は意思統一がない旨を表示して警告する警告手段を備える。
（５）  前記意思統一情報とは前記第２個人用ページに必ず表示すべき必須業務情報を含み、前記判断処理とは前記第２更新情報又は前記第３更新情報が前記必須業務情報の一部又は全部を削除するものである場合は意思統一がないと判断する処理である。
（６）  前記第２個人用ページは複数のページからなり、前記第２個人用ページ表示手段とは前記第３指定情報により指定された業務情報を最初のページに表示する手段である。
（７）  前記第２個人用ページは複数の画面に分割されて表示されるものであり、前記第２個人用ページ表示手段とは前記第３指定情報により指定された業務情報を最初の画面に表示する手段である。
【発明の効果】
【０００６】
本発明には次のような効果がある。
（１）本発明を利用すれば、グループウェアにおいてどの業務情報をどのように表示するかを自由に設定できるので、グループウェアがより使いやすく便利になる。
（２）本発明では、グループウェアにおける個人用ページを複数人で編集することができる。これにより例えば、グループリーダーが個人用ページの第１ページの表示内容を編集することにより、グループ構成員全員が同じ情報を第１ページで確認することができ、グループ内の意思統一や作業調整を適切に行うことができる。また、第２ページ以降は構成員が自ら編集できるので、各構成員の業務に適合した表示内容とすることができる。
（３）本発明を利用すれば、編集者同士の意志不統一により生じるカスタマイズ矛盾を防止することができる。よって、個人用ページの表示内容をいつでも適切に保つことができる。
（４）本発明では、プロジェクトリーダーがカスタマイズした内容は、個人用ページの最初のページ（或いは、最初の画面）に表示されるので、各構成員は重要な情報を漏らすことなく確認できる。
【発明を実施するための最良の形態】
【０００７】
本発明は、業務情報管理のためのコンピュータ等に関するものであり、特に業務情報を管理するグループウェアにおいて情報の表示内容を適切にするためのものである。以下、図面に基づいて説明する。
【実施例１】
【０００８】
本発明の第一実施例を図に基づいて説明する。図１は本発明の実施に必要なハードウェアを表した概略図である。これは一般的なコンピュータの概略図であり、このコンピュータには入力装置（キーボードやマウス）、処理装置、記憶装置、出力装置（表示モニタやプリンタ）が備えられている。
記憶装置には本発明を実現するためのコンピュータプログラムや所定のデータが記憶されており、コンピュータはこのコンピュータプログラムの処理命令に従って所定の処理を行う。
【０００９】
次に、記憶装置に記憶されているデータの内容について説明する。
図２は本実施例で説明するグループウェアにおいて利用できる機能の一覧を示した機能一覧データである。
図３（ａ）は、ＴＯＤＯリストを表示するためのＴＯＤＯデータである。ＴＯＤＯリストとは業務遂行のためにどのような作業をすべきかを一覧表示して作業の漏れを防止するものである。ＴＯＤＯリストには様々な種類のものがあり、各社員毎に作成される個人用のＴＯＤＯリストもあれば、各プロジェクト毎に作成されるプロジェクト用のＴＯＤＯリストもある。本実施例では、プロジェクト用のＴＯＤＯリストを例に説明する。なお、図３（ａ）のＴＯＤＯデータは図２の機能一覧データのＴＯＤＯリスト項目に関連づけられて記憶装置に記憶されている。
【００１０】
図３（ｂ）は、掲示板を表示するための掲示板データ情報である。この掲示板にも様々な種類があるが、本実施例では、各プロジェクト毎に設けられる掲示板を例に説明する。また、図３（ｂ）の掲示板データは図２の機能一覧データの掲示板項目に関連づけられて記憶装置に記憶されている。
【００１１】
図３（ｃ）は、社員のスケジュールを表示するためのスケジュールデータである。このスケジュール情報にも様々な種類のものがあるが、本実施例では、あるプロジェクトに参加している社員全員のスケジュール情報を表示するものを例に説明する。また、図３（ｃ）のスケジュールデータは図２の機能一覧データのスケジュール項目に関連づけられて記憶装置に記憶されている。なお、本実施例では図２の機能一覧データ及び図３（ａ）（ｂ）（ｃ）が業務ファイルとしての役割を果たし、これらのデータを記憶する記憶装置が業務ファイル記憶手段としての役割を果たす。
【００１２】
次に、本実施例で利用するグループウェアの特徴について説明する。このグループウェアは、各種情報の表示方法を自由に設定できる（カスタマイズできる）ところに特徴がある。例えば、図４のようにあるプロジェクトに参加している社員は個人用のページを設けることができ、更にはそこに複数のページ（１ページ、２ページ、３ページ）を設けることができる（なお、ページ数は何ページでもよい）。そして、そのページに何を表示するかを各人が自由に設定できるものである。また、最初のページ（１ページ）だけはプロジェクトリーダーのみが設定でき、各個人は２ページ以降を自由に設定できるものである。このように最初のページについてはプロジェクトリーダーのみが設定できるようにして、各プロジェクトの意思統一や情報管理の統一を図ることができるようにしたものである。
【００１３】
次に、本発明を実現するための処理内容を説明する。なお、本実施例では、ある企業のあるプロジェクトチーム（グループ）がこのグループウェアを利用して業務を遂行するケースを例に説明する。また、このプロジェクトには４人の社員（グループリーダー以外の構成員）が参加しており、そのうちの一人がプロジェクトリーダーとしてこのプロジェクトをまとめ役をしているものとする（便宜上、ここではこのリーダーを山田太郎さんとする）。なお、グループリーダーとはそのグループに属する構成員の個人用ページの一部を編集する権限を有する者であるとする。
本実施例の処理は＜リーダーログイン処理＞→＜リーダーによるページ編集処理＞→＜個人ログイン処理＞→＜個人によるページ編集処理＞とからなる。
【００１４】
まず、＜リーダーログイン処理＞から説明する。
あるプロジェクトのリーダー（グループリーダー）である山田太郎さんは、そのプロジェクトを確実に遂行するためにはＴＯＤＯリストを各参加者が逐一確認することが重要であると考えた。
そこで、山田さんは各参加者の最初のページにＴＯＤＯリストを表示させるため、このグループウェアを起動させ、ログインページを開いた。これにより図５のような内容が表示モニタに表示された。なお、このログインページは山田さんがリーダーを務めるプロジェクトのログインページとし、山田さんはまずプロジェクト構成員の加山さんの個人用ページの第１ページにＴＯＤＯリストを表示しようと考えた。山田さんは、このログインページにおいて編集先ＩＤ（プロジェクトの構成員である加山さんのＩＤ）、編集者ＩＤ（リーダーである山田さんのＩＤ）、パスワード（山田さん用のパスワード）を入力し、画面下の実行をクリックした。これにより処理装置は第１ログインデータ「編集先ＩＤ＝９７１５、編集者ＩＤ（第１変更者、第３変更者）＝９９００、パスワード＝１００１」の入力を受け付ける。
なお、本実施例では、第１ログインデータに含まれる編集者ＩＤを受け付ける処理装置が第１変更者特定手段・第３変更者特定手段としての役割を果たす。
【００１５】
このコンピュータの記憶装置にはパスワード管理データが記憶されている（図６）。このパスワード管理データとは加山さん（プロジェクト構成員）のＩＤとそのパスワード、山田さん（プロジェクトリーダー）とそのパスワードとが各々関連づけられているデータである。
ログインデータの入力を受け付けた処理装置は、次にそのログインする者がページ管理データの更新権限を有する者であるのか、その個人ページの管理者本人（加山さん）であるか否かを確認する。即ち、ログインデータの編集者ＩＤ及びパスワードとパスワード管理データの構成員ＩＤと構成員用パスワードとが一致するか否かを比較してこの確認処理を行う。
また、処理装置は、この確認処理により編集者ＩＤやパスワードが不一致の場合は、ログインする者がページ管理データの更新権限を有する者であるのか、プロジェクトリーダーであるか否かを確認する。即ち、ログインデータの編集者ＩＤ及びパスワードとパスワード管理データのリーダーＩＤとリーダーパスワードとが一致するか否かを比較してこの確認処理を行う。
今回入力された編集者ＩＤは「９９００」であり入力されたパスワードは「１００１」なので処理装置はリーダーのパスワードであると判断する（編集者がプロジェクトリーダーであると判断する）。
以上が＜リーダーログイン処理＞である。
【００１６】
なお、本実施例では、このパスワード管理データの構成員ＩＤ及びリーダーＩＤが第１権限者としての役割を果たし、パスワード管理データの構成員ＩＤが第２権限者としての役割を果たし、パスワード管理データのリーダーＩＤが第３権限者としての役割を果たし、前述の第１ログインデータに含まれるリーダーの編集者ＩＤ及びパスワードがパスワード管理データに含まれるリーダーのＩＤ及びパスワードに一致するかを確認する処理装置が第１確認手段・第３確認手段としての役割を果たす。
【００１７】
次に、＜リーダーによるページ編集処理＞を説明する。
編集者がプロジェクトリーダーであると判断した処理装置は、次にログインデータに含まれる「編集先ＩＤ＝９７１５（加山さんのＩＤ）」の第１ページを編集するための内容を図７のように表示する。なお、図７の機能一覧は図２の機能一覧データに基づいて処理装置が作成したものである。
リーダーである山田さんは図７のＴＯＤＯリストの左欄にチェックを入れ、画面中央に表示されている矢印形アイコンのうち、上の矢印（右矢印アイコン）をクリックする。これにより画面右の１ページ欄には「ＴＯＤＯリスト」が表示される。次に、リーダーの山田さんは画面下の「実行」をクリックする。これにより処理装置は編集データ（第１変更情報、第３変更情報）「編集先ＩＤ＝９７１５、編集ページ＝１、ページ内容＝ＴＯＤＯリスト」の入力を受け付ける。
なお、本実施例では、この編集データの入力を受け付ける処理装置が第１変更情報受付手段・第３変更情報受付手段としての役割を果たし、編集データに含まれる編集者ＩＤの入力を受け付ける処理装置が第１変更者特定手段・第３変更者特定手段としての役割を果たす。
【００１８】
このコンピュータの記憶装置には図８（ａ）のようなページ管理データが記憶されている。このページ管理データとは各構成員毎に設けられるページにどのような業務情報を表示するかを管理するものであり、この時点では何ら情報が設定されていないが、この後の処理により図８（ａ）（ｂ）（ｃ）（ｄ）の順に更新されてゆくものとする。
編集データの入力を受け付けた処理装置は、編集データに含まれる「編集ページ＝１」に該当するページ（第１ページ）の表示内容を編集データの「ページ内容＝ＴＯＤＯリスト」に更新する。これによりページ管理レコードは図８（ｂ）のように更新される。
そして、処理装置は、ページ管理データに基づいて加山さんの個人用ページを作成してそれを表示する（第１ページを表示する際には図４のよう内容が表示モニタに表示される）。
【００１９】
なお、表示モニタに表示する内容が多く一度にすべての情報を表示できない場合（情報が複数の画面に分割されてしまう場合）でも処理装置はＴＯＤＯリストを最初の表示画面に表示するのが好ましい。即ち、ＴＯＤＯリストは個人用ページを閲覧する際に必ず最初に表示される画面に表示されているようにすることが好ましい。このようにすることにより、重要な情報を漏らすことなくまず最初に確認できるのである。
また、リーダーの山田さんはこのような編集処理をプロジェクト構成員全員に行うものとする。なお、一度このような編集処理を行えば構成員全員の第１ページが更新されるようにしてもよい。
以上が＜リーダーによるページ編集処理＞である。
【００２０】
なお、本実施例では、ページ管理データが第１指定情報としての役割を果たし、ページ管理データの第２ページ及び第３ページが第２指定情報としての役割を果たし、ページ管理データの第１ページが第３指定情報としての役割を果たし、ページ管理データとパスワード管理データとを記憶する記憶装置が第１権限情報記憶手段・第２権限情報記憶手段・第３権限情報記憶手段としての役割を果たし、ページ管理データの内容を更新する処理装置が第１更新手段・第３更新手段としての役割を果たし、個人用ページを作成・表示する処理装置が第１個人用ページ表示手段・第３個人用ページ表示手段としての役割を果たす。
【００２１】
なお、ここでページ管理データから機能を削除して、削除したデータを個人用ページに表示しないようにする処理についても説明しておく。これを行うには、図７の１ページ欄に表示されている機能（例えば、ＴＯＤＯリスト）を選択して左矢印アイコンをクリックする。これにより前述の＜リーダーによるページ編集処理＞と同様の処理により処理装置は編集データ（変更情報）「編集先ＩＤ＝９７１５、編集ページ＝１、ページ内容＝情報なし」の入力を受け付け、ページ管理データの第１ページの内容を「情報なし」にする。このようにすればページ管理データの内容は図８（ａ）の状態に戻り、ＴＯＤＯリストの内容は個人用ページには表示されなくなる。
なお、ここでは機能を削除する方法を説明しただけであり、山田さんは実際にはこの削除作業をしていないものとする。よって、図８のページ管理データは（ｂ）の状態にあることとする。
【００２２】
次に、＜個人ログイン処理＞から説明する。
このプロジェクトの構成員である加山さんは、加山さんの個人用のページのうち２ページ目にスケジュールを表示させ、３ページ目には掲示板を表示させたいと考えた。
そこで、加山さんは２ページ目、３ページ目の表示内容を変更するため、前述の＜リーダーログイン処理＞と同様、このグループウェアを起動させ、ログインページを開いた。これにより図９のような内容が表示モニタに表示された。加山さんは、編集先ＩＤ（加山さんのＩＤ）、編集者ＩＤ（加山さんのＩＤ）、パスワードを入力し、画面下の実行をクリックした。これにより処理装置は第２ログインデータ「編集先ＩＤ＝９７１５、編集者ＩＤ（第２変更者）＝９７１５、パスワード＝１２３４」の入力を受け付ける。
なお、本実施例では、この第２ログインデータに含まれる編集者ＩＤの入力を受け付ける処理装置が第２変更者特定手段としての役割を果たす。
【００２３】
第２ログインデータの入力を受け付けた処理装置は、＜リーダーログイン処理＞と同様の処理を行い、ログインする者が編集権限があるのか、更にはその者が個人用ページの管理者であるのか又はリーダーであるのかを確認する。今回入力された編集者ＩＤは「９７１５」でありパスワードは「１８３２」なので処理装置はログインする者が管理者（構成員）であると判断する（編集者が構成員個人であると判断する）。
以上が＜個人ログイン処理＞である。
なお、本実施例ではこの個人ログイン処理を行う処理装置が第２確認手段としての役割を果たす。
【００２４】
次に、＜個人によるページ編集処理＞を説明する。
編集者が個人であると判断した処理装置は、次に第２ログインデータに含まれる「編集先ＩＤ＝９７１５（加山さんのＩＤ）」の第２ページ及び第３ページを編集するための内容を図１０のように表示する。
加山さんは図１０のスケジュールの右欄にチェックを入れ、ページ２欄の左に表示されている矢印形アイコンのうち、上の矢印（右矢印アイコン）をクリックする。これにより画面右の２ページ欄には「スケジュール」が表示される。更に、これと同様にページ３欄には掲示板を表示させる。次に、加山さんは画面下の「実行」をクリックする。これにより処理装置は第２編集データ（第２変更情報）「編集先ＩＤ＝９７１５、編集ページ＝２、ページ２内容＝スケジュール、編集ページ＝３、ページ３内容＝掲示板」の入力を受け付ける。
なお、本実施例では、この第２編集データの入力を受け付ける処理装置が第２変更情報受付手段としての役割を果たし、個人ページを作成・表示する処理装置が第２個人ページ表示手段としての役割を果たす。
【００２５】
ページ編集データの入力を受け付けた処理装置は、＜リーダーによるページ編集処理＞と同様の処理によりページ管理データを更新し、図８（ｂ）を最終的に図８（ｃ）のようにする。そして、加山さんのページの第２ページには図３のスケジュールデータの内容が表示モニタに表示され、第３ページには図３の掲示板データの内容が表示モニタに表示される（図示せず）。
以上が＜個人によるページ編集処理＞である。
なお、本実施例では、この個人によるページ編集処理を行う処理装置が第２更新手段としての役割を果たす。
【実施例２】
【００２６】
本発明の第２実施例を説明する。第１実施例ではプロジェクトリーダーである山田さんとそのプロジェクトの参加者である加山さんが、加山さんのページの表示内容を設定するケースを説明した。即ち、複数人が一人のページの表示内容を自由に設定するケースを説明した。
しかし、個人用のページを複数人で設定した場合、その設定において矛盾（カスタマイズ矛盾）が生じることがある。
例えば、第１実施例において、プロジェクト構成員である加山さんが毎日ＴＯＤＯリストをみて重要事項を確認していたが、そのＴＯＤＯリストをリーダーの山田さんが削除してしまう場合も考えられる。即ち、一人のページを複数人でカスタマイズすると各人の意志の不統一により表示すべき情報が表示されなくなってしまうという不都合が生じる。本実施例は、このような不都合（カスタマイズ矛盾の発生）を回避するためのものである。
以下、カスタマイズ矛盾を解決するための処理等について説明する。なお、本実施例の内容はほぼ第１実施例と同様であるので、第１実施例と異なる部分を中心に説明する。
【００２７】
まず、本実施例の概要を説明する。本発明の概要は次の通りである。
例えば、プロジェクトリーダー山田さんと加山さんをはじめとするそのプロジェクト構成員全員が話し合い、各人のページにはＴＯＤＯリストとスケジュール情報は必ずどこかに表示しておくように確認されたとする。この場合、リーダーの山田さんが必ず表示すべきＴＯＤＯリストとスケジュールとをコンピュータに登録する。そして、コンピュータは表示内容と登録内容とを比較して、必ず表示すべき内容が表示されていない場合は警告等を発するものである。
【００２８】
次に、本実施例の詳細な処理について説明する。本実施例は、＜必須表示項目設定処理＞→＜リーダー又は個人によるページ編集処理＞→＜カスタマイズ矛盾防止処理＞とからなるものである。
まず＜必須表示項目設定処理＞から説明する。
リーダーの山田さんは当該グループウェアを起動し、必須表示項目設定の画面を開く。これにより表示モニタの表示画面には図１１のような内容が表示される。そして、山田さんは図１１のＴＯＤＯリストとスケジュールの左欄にチェックを入れ、右矢印をクリックする。これにより処理装置は必須項目データ（意思統一情報・必須業務情報）「必須項目１＝ＴＯＤＯリスト、必須項目２＝スケジュール」の入力を受け付け、これを図１２のように必須表示項目として記憶装置に記憶する。なお、本実施例ではこの必須項目データを記憶する記憶装置が意思統一情報記憶手段としての役割を果たす。
以上が＜必須表示項目設定処理＞である。
【００２９】
次に、＜リーダー又は個人によるページ編集処理＞について説明する。
この処理は、第１実施例で説明した＜リーダーによるページ編集処理＞又は＜個人によるページ編集処理＞とほぼ同様であるので詳しい内容は省略する。即ち、前述のようにリーダーの山田さん又は構成員の加山さんがＴＯＤＯリストを削除する。これにより図８（ｃ）のページ管理データからはＴＯＤＯリストが削除され図８（ｄ）のようになる。
以上が＜リーダー又は個人によるページ編集処理＞である。
【００３０】
次に＜カスタマイズ矛盾防止処理＞について説明する。
処理装置は図１２の必須表示項目と図８（ｄ）のページ管理レコードとを比較し、必須表示項目の内容がページ管理レコードに含まれているか否か（編集データが示す変更内容に意思統一があるか否か）を確認する。図８（ｄ）のページ管理データには図１２の必須表示項目のうちＴＯＤＯリストが含まれていないので、処理装置は「カスタマイズ矛盾あり」と判断し、カスタマイズ矛盾データ「矛盾内容＝ＴＯＤＯリスト」を記憶装置にを記憶する。そして、処理装置は記憶装置に記憶されているエラーメッセージ（意思統一がない旨の情報）「カスタマイズ矛盾があります。カスタマイズ内容を確認してください。」や前述のカスタマイズ矛盾データ等を表示モニタに表示して警告する。これにより山田さんはカスタマイズ矛盾が生じたこと及びカスタマイズ矛盾の内容を知ることができ、カスタマイズ矛盾を防止することができる。
なお、本実施例では、この確認処理及び警告をする処理装置が、意思統一判断手段及び警告手段としての役割を果たす。
【００３１】
上記実施例おいては特定のケースについて説明したが、本発明はこれら特定のケースに限るものではない。例えば、次のようなケースであっても構わない。
（１）上記実施例では、ＴＯＤＯリストや掲示板情報などを例に説明したが、本発明はこれに限るものではなく、他のどのような情報にも利用できるものである。また、上記実施例では１つのプロジェクトを例に説明したが、本発明はプロジェクトに限らず、会社全体や様々なグループにおいて利用できるものである。
（２）データの内容は実施例で説明したデータに限らない。即ち、同様の役割を果たすことができれば、他のどのようなデータであっても構わない。
（３）ハードウェアも実施例で説明したものに限らない。即ち、同様の役割を果たすことができれば、他のどのようなハードウェアであっても構わない。例えば、上記実施例では１台のコンピュータですべての処理を行っているが、これを複数のコンピュータで分散して行ってもよいし、複数のコンピュータを利用する際はインターネット等を介して情報の送受信を行ってもよい。
（４）処理の内容や手順についても実施例で説明したものに限らない。即ち、同様の役割を果たすことができれば、他のどのような処理内容・処理手順であっても構わない。例えば、上記実施例では、リーダーが最初に個人用ページを編集し、その後に構成員が編集することにているが、この順序を逆にしてもよい。更に、構成員のみが個人用ページを編集できるようにしてもよい。
（５）上記実施例に登場するデータ（データレコード、ファイル）のデータ（データ項目）は、原則として各々関連づけられて（対応づけられて）記憶装置に記憶されているものとする。図面に表されたものについても同様である。
【図面の簡単な説明】
【００３２】
【図１】本発明で利用するハードウェアの概略を示す図である。
【図２】業務情報ファイルを示す図である。
【図３】ＴＯＤＯデータ・掲示板データ・スケジュールデータを示す図である。
【図４】個人用ページの表示内容を示す図である。
【図５】ログイン画面を示す図である。
【図６】パスワード管理ファイルを示す図である。
【図７】個人用ページのカスタマイズ画面を示す図である。
【図８】ページ管理データの内容を示す図である。
【図９】ログイン画面を示す図である。
【図１０】個人用ページのカスタマイズ画面を示す図である。
【図１１】必須表示項目の設定画面を示す図である。
【図１２】必須表示項目を示す図である。
【図１】
2008234108.tif 000003
【図２】
2008234108.tif 000004
【図３】
2008234108.tif 000005
【図４】
2008234108.tif 000006
【図５】
2008234108.tif 000007
【図６】
2008234108.tif 000008
【図７】
2008234108.tif 000009
【図８】
2008234108.tif 000010
【図９】
2008234108.tif 000011
【図１０】
2008234108.tif 000012
【図１１】
2008234108.tif 000013
【図１２】
2008234108.tif 000014